(57)【要約】【課題】記録媒体に対応付けられた残額を書き換える等の不正行為が行われたことを発見し易くする。【解決手段】管理装置６は、遊技者が投入した貨幣の合計である合計投入金額から遊技価値の対価として消費した金額の合計である合計消費金額及び精算処理にて払い出した貨幣の精算金額の合計である合計精算金額を減算した理論上の金額と、記録媒体であるＩＣカード２６から特定した未消費金額の合計である合計未消費金額の実際の金額とに予め定められた特別金額以上の差があると、異常報知を行う。【選択図】図１
2018000727.tif 000002
【特許請求の範囲】
【請求項１】
遊技者が投入した貨幣を対価として遊技機における遊技に消費する遊技価値を付与し、遊技者が投入した貨幣の未消費金額の管理を行う遊技場用管理システムにおいて、
遊技者の貨幣投入を受け付ける貨幣受付手段と、
遊技者が投入した貨幣の合計である合計投入金額を特定する投入金額特定手段と、
遊技機に対応して設けられ、遊技者が投入した貨幣を対価として遊技価値を付与する遊技価値付与手段と、
遊技価値の対価として消費した金額の合計である合計消費金額を特定する消費金額特定手段と、
遊技機に対応して設けられ、遊技者が予め定められた発行操作を行った場合に、前記未消費金額を特定可能な情報を記録した記録媒体を発行する記録媒体発行手段と、
前記記録媒体を受け付け、当該記録媒体から特定した未消費金額に相当する貨幣を払い出す精算処理を実行する精算装置と、
前記精算装置が前記精算処理にて払い出した貨幣の合計である合計精算金額を特定する精算金額特定手段と、
前記未消費金額の合計である合計未消費金額を特定する未消費金額特定手段と、
前記合計投入金額から前記合計消費金額及び前記合計精算金額を減算した金額と、前記合計未消費金額とに予め定められた特別金額以上の差がある金額異常状態が発生しているか否かを判定する特別判定手段と、
前記金額異常状態が発生している場合に異常報知を行う異常報知手段と、を備えたことを特徴とする遊技場用管理システム。
【請求項２】
前記投入金額特定手段は、前記合計投入金額を営業日別に特定し、
前記消費金額特定手段は、当日に入金された貨幣を対価として消費した金額の合計を前記合計消費金額として特定し、
前記精算金額特定手段は、当日に入金された貨幣の精算金額の合計を前記合計精算金額として特定し、
前記未消費金額集計手段は、当日に入金された貨幣の未消費金額の合計を前記合計未消費金額として特定することを特徴とする請求項１に記載した遊技場用管理システム。
【請求項３】
遊技場の営業を終了する閉場条件が成立したことを特定する閉場条件特定手段を備え、
前記特別判定手段は、前記閉場条件が成立した場合に前記金額異常状態が発生しているか否かを判定することを特徴とする請求項１又は２に記載した遊技場用管理システム。
【発明の詳細な説明】
【技術分野】
【０００１】
本発明は遊技場用管理システムに関する。
【背景技術】
【０００２】
従来より、遊技媒体を貸し出すための残額と遊技により獲得した遊技媒体数とを記録媒体に対応付けて記録し、遊技を終了したときに精算装置にて精算を行うことで残額分の貨幣を払い出す運用が行われている（例えば特許文献１参照）。
【先行技術文献】
【特許文献】
【０００３】
【特許文献１】特開２０１０−１３１１８３号公報
【発明の概要】
【発明が解決しようとする課題】
【０００４】
しかしながら、記録媒体に対応付けて残額を管理する運用では、記録媒体に対応付けられた残額を書き換えたり記録媒体を複製したりする等の不正行為が行われる虞があり、投入金額以上の金額が不正に使用される虞がある。このような事情から、不正行為が行われたことを発見し易くする技術の開発が求められている。
【０００５】
本発明は、上記した事情に鑑みてなされたものであり、その目的は、不正行為が行われたことを発見し易くすることができる遊技場用管理システムを提供することにある。
【課題を解決するための手段】
【０００６】
記録媒体に対応付けられた合計未消費金額を書き換えたり記録媒体を複製したりする等の不正行為が行われていなければ、合計投入金額から合計消費金額及び合計精算金額を減算した金額と、記録媒体に記録されている未消費金額の合計である合計未消費金額とが一致するが、不正行為が行われていれば、合計投入金額から合計消費金額及び合計精算金額を減算した金額と、合計未消費金額とが一致しなくなる。請求項１に記載した発明によれば、合計投入金額から合計消費金額及び合計精算金額を減算した金額と、合計未消費金額とに予め定められた特別金額（例えば１円）以上の差がある金額異常状態が発生していると判定すると、異常報知を行うようにしたので、不正行為が行われていることを発見し易くすることができる。
【図面の簡単な説明】
【０００７】
【図１】本発明の一実施形態の遊技場用管理システムの全体構成を示す図
【図２】遊技機の正面図
【図３】貸出装置、精算装置、管理装置の機能ブロック図
【図４】未精算カードリスト画面を示す図
【図５】プリペイド日報画面を示す図
【図６】未精算カードリスト画面を示す図
【図７】プリペイド日報画面を示す図
【図８】未精算カードリスト画面を示す図
【図９】プリペイド日報画面を示す図
【図１０】再発行及び強制精算の条件を示す図
【発明を実施するための形態】
【０００８】
以下、本発明の一実施形態について図面を参照して説明する。図１は、遊技場用管理システムの全体構成を概略的に示している。遊技場には、遊技機（スロットマシン）１に対応して貸出装置２と遊技情報表示装置３とが設置されている。これら遊技機１と、貸出装置２と、遊技情報表示装置３とは中継装置４と接続されている。中継装置４はＬＡＮ５を介して管理装置６と接続されている。管理装置６は、遊技場内の例えば管理室に設置されており、キーボード７と、マウス８と、モニタ９と、プリンタ（図示せず）等が組み合わされて構成されている。モニタ９は異常報知手段に対応する。又、遊技場には、精算装置１０やＰＯＳ（図示せず）等も設置されている。精算装置１０やＰＯＳもＬＡＮ５を介して管理装置６と接続されている。尚、図１では省略しているが、数百台の遊技機１が管理装置６の管理対象となる。本実施形態では遊技機１がスロットマシンであることから、遊技価値（遊技媒体）はメダルである。遊技機１がパチンコ機であれば、遊技価値はパチンコ玉である。
【０００９】
図２は、遊技機１の正面図を示している。遊技機１は、表示窓１１を介して視認可能なリール１２と、有効化された入賞ラインを示す有効ライン表示部１３と、表示パネル１４と、クレジットメダルの投入を行うクレジットボタン１５と、クレジットメダルの精算を行う精算ボタン１６と、メダルを投入するメダル投入口１７と、スタートレバー１８と、左ストップボタン１９と、中ストップボタン２０と、右ストップボタン２１と、払出数表示部２２と、クレジット数表示部２３と、受皿２４等を有する。
【００１０】
遊技機１は、メダルが投入された状態でスタートレバー１８が操作されると（ゲーム開始操作が行われると）、発生する乱数の中から１つの乱数を抽出して内部抽選を実行し、内部当選役がある場合には当該内部当選役に対応するフラグを成立させると共に、各リール１２を始動（回転）させ、この状態で各ストップボタン１９〜２１が操作されると、対応するリール１２の回転を停止させる。続いて、内部当選役のフラグに応じて各リール１２の停止位置を決定するための停止テーブル（図示せず）に基づいて、所謂引込制御（すべり制御）を含む停止制御（各リール１２を内部当選役フラグの種類に応じた入賞図柄又はハズレ図柄で停止表示させる制御）を実行する。引込制御は、各ストップボタン１９〜２１の操作を検出した時点から予め規定された引込範囲（最大で４図柄まで）にある図柄を入賞ライン上に引き込んで停止させることが可能な制御である。尚、内部当選役フラグに対応する図柄が引込範囲内に存在しないときは、その図柄を入賞ライン上に引き込んで停止させることができないので、入賞が発生せずに所謂取りこぼしとなる。
【００１１】
遊技機１は、以下の遊技信号を送信する。
アウト信号＝ゲームの開始操作に応じてベット状態のメダルを消費したとしてベット状態のメダル数（３枚）分をパルス送信する。管理装置６は、アウト信号数×１をアウト（消費価値、使用媒体数）として特定する。尚、リプレイ時にも、対応分をパルス送信する。
【００１２】
セーフ信号＝メダルを１枚付与（払出）する毎にパルス送信する。管理装置６は、セーフ信号数×１をセーフ（入賞付与価値、払出媒体数）として特定する。尚、リプレイ役入賞時にも、そのゲームに使用されたメダル分をパルス送信する。
【００１３】
ＢＢ（ビッグボーナス）信号＝ＢＢ状態のときにレベル送信する。管理装置６は、ＢＢ信号の受信期間中をＢＢ状態として特定する。
ＲＢ（レギュラーボーナス）信号＝ＲＢ状態のときにレベル送信する。管理装置６は、ＲＢ信号の受信期間中をＲＢ状態として特定する。
【００１４】
遊技機１には、ボーナス役としてのＢＢ役及びＲＢ役、小役、リプレイ役が設けられている。遊技機１には、合計５本（表示窓１１の上段、中段、下段に対応した横方向に１本ずつの３本、斜め方向の２本）の有効ラインが設けられており、遊技者によるストップボタン１９〜２１の操作により、これらの有効ラインのうち何れかの有効ライン上に内部当選役に対応する図柄が揃ったとき、即ち、有効ライン上に停止表示された図柄の組み合わせが内部当選役に対応する図柄の組み合わせと一致したときに入賞となる。入賞となった場合には、ＢＢ状態やＲＢ状態の発生、又は対応する枚数のコインの払い出し（遊技価値の付与）を行う。ＢＢ状態は例えば３００枚を越えるコインの払い出しにより終了し、ＲＢ状態は８回の入賞の発生により終了する。又、ＢＢ状態及びＲＢ状態における１ゲーム当たりのコインの投入枚数は２枚となっている。
【００１５】
遊技機１は、ＢＢ役及びＲＢ役の内部当選確率を設定値の変更により変更可能となっている。設定値は、遊技機１の遊技性能を調整するための調整情報であり、例えば１〜６の６段階に区分されており、管理者により何れか１つが選択されて使用される。遊技機１は、設定値が大きいほどボーナス役の当選確率が高くなり、それに伴って理論上の出率が大きくなり、反対に、設定値が小さいほどボーナス役の当選確率が低くなり、それに伴って理論上の出率が小さくなる。即ち、設定値が大きいほど遊技者にとって有利であり、設定値が小さいほど遊技者にとって不利である。尚、小役確率については全設定共通であるが、異なっていても良く、小役確率や他の条件等により出率を調整しても良い。
【００１６】
貸出装置２は、図１に示すように、遊技者が貨幣を投入するための（遊技者の貨幣投入を受け付ける）貨幣投入口２５と、遊技者が記録媒体としてのＩＣカード２６を挿入するためのカード挿入口２７と、ＩＣカード２６をカード挿入口２７から発行させるための発行ボタン２８と、メダルを１枚ずつメダル排出路に排出するホッパー（図示せず）の状態を示すホッパーＬＥＤ２９と、遊技者が投入した貨幣を対価としてメダルを遊技機１の受皿２４に払い出す（遊技価値を付与する）払出ノズル３０等を有する。ＩＣカード２６は、当日限り有効な一般カードや予め設定されている有効期限（例えば３年間）まで有効な会員カードである。ＩＣカード２６は、ＩＣチップを内蔵し、カードを特定可能なカードＩＤ、遊技者が投入した貨幣の未消費金額を特定可能な情報である残額、遊技により獲得した遊技媒体数である持玉数が記録可能に構成されている。
【００１７】
貸出装置２は、以下の遊技信号を送信する。
投入金額信号＝遊技者が投入した貨幣の金額である投入金額を装置ＩＤと共に送信する。管理装置６は、投入金額信号を受信することで、投入金額を貸出装置２毎に管理する。
【００１８】
消費金額信号＝遊技価値の付与の対価であるメダルの払い出しに消費した消費金額を装置ＩＤと共に送信する。管理装置６は、消費金額信号を受信することで、消費金額を貸出装置２毎に管理する。
【００１９】
カード発行信号＝遊技者が予め定められた発行操作である発行ボタン２８を押下すると、遊技者が投入した貨幣の未消費金額を装置ＩＤと共に送信する。管理装置６は、カード発行信号を受信することで、未消費金額を貸出装置２毎に管理する。
【００２０】
遊技情報表示装置３は、図１に示すように、各種の遊技データ（ＢＢ状態やＲＢ状態の発生回数、スタート回数、ＡＲＴの発生回数、平均獲得枚数等）を表示する情報表示部３１と、遊技場の従業員を呼び出すときに遊技者が押下する呼出ボタンや情報表示部３１が表示する遊技データを切り替えるときに遊技者が押下する切替ボタン等を含む操作部３２と、従業員が所持する従業員リモコン３４からリモコン信号を受信する受光部３４等を有する。
【００２１】
精算装置１０は、図１に示すように、精算金額を表示する情報表示部３５と、遊技者がＩＣカード２６を挿入するためのカード挿入口３６と、残額に対応する貨幣を払い出す返却口３７等を有する。精算装置１０は、ＩＣカード２６がカード挿入口３６に挿入されると（記録媒体を受け付けると）、そのＩＣカード２６に記録されている残額をカードリーダにより読み取り、その読み取った残額を精算金額として情報表示部３５に表示し、その残額に相当する貨幣を返却口３７から払い出す（記録媒体から特定した未消費金額に相当する貨幣を払い出す精算処理を実行する）。
【００２２】
精算装置１０は、以下の遊技信号を送信する。
精算金額信号＝残額に相当する貨幣を返却口３７から払い出すと、払い出した残額である精算金額を装置ＩＤと共に送信する。管理装置６は、精算金額信号を受信することで、精算金額を精算装置１０毎に管理する。
【００２３】
図３は、貸出装置２、精算装置１０、管理装置６の構成を示す機能ブロック図である。
貸出装置２は、制御部３８と、Ｉ／Ｆ部３９と、上記した貨幣投入口２５と、カード挿入口２７と、発行ボタン２８と、ホッパーＬＥＤ２９と、メダル払出部４０とを有する。制御部３８は、ＣＰＵ３８ａ、ＲＯＭ３８ｂ、ＲＡＭ３８ｃを有するマイクロコンピュータにより構成され、各種制御プログラム（ソフトウェア）を実行し、貸出装置２の動作全般を制御する。Ｉ／Ｆ部３９は、中継装置４を介して管理装置６や遊技機１等との間で各種信号や各種情報を送受信する。メダル払出部４０は、払出ノズル３０を介してメダルを遊技機１の受皿２４に払い出す。上記した構成では、制御部３８は、貨幣受付手段、遊技価値付与手段、記録媒体発行手段に対応している。貨幣投入口２５は、貨幣受付手段に対応している。メダル払出部４０は、遊技価値付与手段に対応している。カード挿入口２７は、記録媒体発行手段に対応している。
【００２４】
精算装置１０は、制御部４１と、Ｉ／Ｆ部４２と、上記した情報表示部３５と、カード挿入口３６と、メダル払出部４３とを有する。制御部４１は、ＣＰＵ４１ａ、ＲＯＭ４１ｂ、ＲＡＭ４１ｃを有するマイクロコンピュータにより構成され、各種制御プログラム（ソフトウェア）を実行し、精算装置１０の動作全般を制御する。Ｉ／Ｆ部４２は、管理装置６等との間で各種信号や各種情報を送受信する。メダル払出部４３は、残額に相当する貨幣を返却口３７から払い出す。
【００２５】
管理装置６は、制御部４４と、Ｉ／Ｆ部４５とを有する。制御部４４は、ＣＰＵ４４ａ、ＲＯＭ４４ｂ、ＲＡＭ４４ｃを有するマイクロコンピュータにより構成され、各種制御プログラム（ソフトウェア）を実行し、管理装置６の動作全般を制御する。Ｉ／Ｆ部４５は、遊技機１や貸出装置２や精算装置１０等との間で各種信号や各種情報を送受信する。上記した構成では、制御部４４は、投入金額特定手段、消費金額特定手段、精算金額特定手段、未消費金額特定手段、特別判定手段、異常報知手段、閉場条件特定手段に対応している。
【００２６】
さて、前述した［発明が解決しようとする課題］で述べたように、ＩＣカード２６に対応付けて残額の管理を行う構成では、ＩＣカード２６に対応付けられた残額を書き換えたりＩＣカード２６を複製したりする等の不正行為が行われる虞があり、投入金額以上の金額が不正に使用される虞がある。この点に関し、管理装置６は、以下の機能を有する。管理装置６は、貸出装置２から受信する投入金額信号、消費金額信号、カード発行信号に基づいて投入金額、消費金額、未消費金額を特定し、精算装置１０から受信する精算金額信号に基づいて精算金額を特定する。
【００２７】
管理装置６は、プリペイドカード情報の画面で「管理」キー５１ａが押下される操作を含む所定操作が行われると、図４に示すように、未精算カードリスト画面５２を表示する。又、管理装置６は、プリペイドカード情報の画面で「管理」キー５１ａが押下される操作を含む別の所定操作が行われると、図５に示すように、プリペイド日報画面５３を表示する。
【００２８】
管理装置６は、未精算カードリスト画面５２では、初回入金日を選択可能な初回入金日選択部５２ａで初回入金日が選択されると、その選択された初回入金日の対象となるレコードの一覧をレコード一覧表示部５２ｂに表示する。レコードは、区分、初回入金日、最終処理日、カードＩＤ／会員番号、入金残額を含む。又、管理装置６は、各レコードの入金残額の合計金額（合計未消費金額）を残額表示部５２ｃに表示する。この入金残額の合計金額はＩＣカード２６に対応付けられている残額の合計を示す実際の金額であり、図４の例示では、「５１，０００円」を残額表示部５２ｃに表示している。
【００２９】
一方、管理装置６は、プリペイド日報画面５３では、入金額（合計投入金額）を入金額表示部５３ａに表示し、消費額や繰越分の繰越消費額（合計消費金額）を消費額表示部５３ｂに表示し、精算額や繰越分の繰越精算額（合計精算金額）を精算額表示部５３ｃに表示する。入金額は当日に入金された金額である。消費額は当日に消費された金額であり、当日の入金分と前日までの入金分とを含み、繰越消費額は前日までの入金分のうち前日までに消費されずに当日まで繰り越して当日に消費された金額であり、前日までの入金分に対する消費額である。つまり、消費額から繰越消費額を減算した金額が当日の入金分に対する消費額となる。精算額は当日に精算された金額であり、当日の入金分と前日までの入金分とを含み、繰越精算額は前日までの入金分のうち前日までに精算されずに当日まで繰り越して当日に精算された金額であり、前日までの入金分に対する精算額である。つまり、精算額から繰越精算額を減算した金額が当日の入金分に対する精算額となる。又、管理装置６は、当日未精算額を当日未精算額表示部５３ｄに表示する。この場合、以下の関係が成立する。
【００３０】
当日未精算額＝入金額−（消費額−繰越消費額）−（精算額−繰越精算額）
この計算式により求まる当日未精算額は、合計投入金額から合計消費金額及び合計精算金額を減算した金額であり、ＩＣカード２６に対応付けられている残額の合計を示す理論上の金額である。
【００３１】
又、管理装置６は、プリペイド日報画面５３では、前日の継続未精算額（前日まで精算していない金額）を継続未精算額表示部５３ｅに表示し、確定雑収入額を雑収入額表示部５３ｆに表示し、前日の未精算額を未精算額表示部５３ｇに表示し、未精算額のうちプリペイド有効分をプリペイド有効分表示部５３ｈに表示し、未精算額のうち特別救済可能分を特別救済可能分表示部５３ｉに表示する。継続未精算額とは次の日になったときの未精算額の残りの金額であり、雑収入額とは未精算額（特別救済可能）のうち次の日になったときの雑収入になる金額（特別救済期限が切れる金額）である。特別救済とは残額がある状態で有効期限が切れたＩＣカード２６を当日に限って有効とする措置のことである。又、管理装置６は、未精算カードリスト画面５２の残額表示部５２ｃで表示した入金残額の合計金額、即ち、ＩＣカード２６に対応付けられている実際の金額を未精算カードリスト当日未精算額としてカードリスト当日未精算額表示部５３ｊに表示する。尚、図５では期間を「２０１６年０４月１９日」としているので、未精算カードリスト当日未精算額を「０円」と表示している場合を例示しているが、図５で期間を図４の初回入金日に合わせて「２０１６年０４月１５日」とすれば、未精算カードリスト当日未精算額を「５１，０００円」と表示することになる。
【００３２】
又、管理装置６は、プリペイド日報画面５３では、セキュリティ項目として、再発行額、強制精算額、代替発行額、特別救済処理額を表示する。再発行額は、遊技者がＩＣカード２６を紛失した場合等に、管理者が新たなＩＣカード２６を発行した際の金額の合計である。尚、紛失したＩＣカード２６のカードＩＤを入力して再発行する運用になっており、紛失したＩＣカード２６は使用不能（残額を「０」にして）にして新たなカードＩＤに残額情報を対応付ける。紛失したＩＣカード２６が使用されたことをカードＩＤから特定した場合（カード挿入時に貸出装置２からカードＩＤを受信して管理装置６が判断する等）、紛失したＩＣカード２６が使用されたことを貸出装置２及び管理装置６にて報知する。強制精算額は、遊技者がＩＣカード２６を紛失した場合等に、カードＩＤを入力して管理者が強制的に精算を行った金額の合計であり、強制精算を行うと入力したカードＩＤのＩＣカード２６の残額は「０」になる。代替発行額は、ＩＣカード２６を読み込んでいる途中で読み込めなくなった場合等に、精算装置１０や貸出装置２において処理の途中で読み込めなくなったＩＣカード２６を回収して新たなＩＣカード２６を遊技者に付与した場合の金額の合計である。特別救済処理額は、特別救済を行った金額の合計である。特別救済とは、入金額にはプリペイド有効期間（例えば当日）と特別救済可能期間（例えば１ヶ月）とが設定されており、プリペイド有効期間が経過すると遊技者は使用することができないが、特別救済可能期間内であれば、管理者の特別救済操作によって使用可能にすることである。
【００３３】
尚、管理者が精算装置１０でカードＩＤを入力して再発行や強制精算を行おうとする際には図１０に示す条件にしたがって再発行や強制精算を許可するか否かを判定しても良い。台通信状態は、精算装置１０と貸出装置２との通信状態である。挿入状態は、手入力したＩＤのＩＣカード２６が貸出装置２に挿入中であるか否かを管理装置６と通信を行うことで判定する。可否は、精算装置１０で再発行や強制精算を許容するか否かである。イベント通知は、管理装置６で報知を行わせるために、管理装置６に通知する内容である。
【００３４】
即ち、精算装置１０と貸出装置２とが全台オンライン状態であり、手入力したＩＤのＩＣカード２６が貸出装置２に挿入中であれば、再発行や強制精算を許可せず、不正通知を行う。又、精算装置１０と貸出装置２とが全台オンライン状態であり、手入力したＩＤのＩＣカード２６が貸出装置２に挿入中でなければ、再発行や強制精算を許可し、通知を行わない。又、精算装置１０と貸出装置２とが一部オフライン状態であり、手入力したＩＤのＩＣカード２６が貸出装置２にオンラインで挿入中であれば、再発行や強制精算を許可せず、不正通知を行う。又、精算装置１０と貸出装置２とが一部オフライン状態であり、手入力したＩＤのＩＣカード２６が貸出装置２にオフラインで挿入中であれば、再発行や強制精算を許可し、点検通知を行う。又、精算装置１０と貸出装置２とが一部オフライン状態であり、手入力したＩＤのＩＣカード２６が貸出装置２に挿入中でなければ、再発行や強制精算を許可し、点検通知を行う。
【００３５】
管理装置６は、閉店時刻になる（遊技場の営業を終了する閉場条件が成立する）と、又は「更新」キー５１ｂが押下されると、各金額を特定し、その正当性を判定する。即ち、管理装置６は、閉場条件が成立した場合に金額異常状態が発生しているか否かを判定する。ここで、ＩＣカード２６に対応付けられた残額を書き換えたりＩＣカード２６を複製したりする等の不正行為が行われていなければ、プリペイド日報画面５３の当日未精算額表示部５３ｄに表示される当日未精算額、即ち、合計投入金額から合計消費金額及び合計精算金額を減算したＩＣカード２６に対応付けられているべき理論上の金額と、カードリスト当日未精算額表示部５３ｊに表示される未精算カードリスト当日未精算額、即ち、ＩＣカード２６に対応付けられている実際の金額とは一致する。
【００３６】
具体的に説明すると、図６及び図７に示すように、入金額が「１５０，０００円」、消費額が「１４０，０００円」、繰越消費額が「３０，０００円」、精算額が「５０，０００円」、繰越精算額が「３０，０００円」であれば、当日未精算額、即ち、ＩＣカード２６に対応付けられているべき理論上の金額は、
当日未精算額＝１５０，０００−（１４０，０００−３０，０００）−（５０，０００
−３０，０００）
＝２０，０００
の計算式により、「２０，０００円」となる。このとき、カードＩＤが「ＩＤ０００１」〜「ＩＤ０００４」の４枚のＩＣカード２６に対応付けられている実際の金額が「２０，０００円」であれば、管理装置６は、理論上の金額である当日未精算額の「２０，０００円」と実際の金額である未精算カードリスト当日未精算額の「２０，０００円」とが一致する（予め定められた特別金額以上の差がない）と判定し、未精算カードリスト当日未精算額の「２０，０００円」を通常表示する。管理者は、未精算カードリスト当日未精算額が通常表示されていることを確認することで、理論上の金額と実際の金額とが一致していると判断することができ、ＩＣカード２６に対応付けられた残額を書き換えたりＩＣカード２６を複製したりする等の不正行為が行われていないと判断することができる。
【００３７】
一方、図８及び図９に示すように、入金額が「１５０，０００円」、消費額が「１４０，０００円」、繰越消費額が「３０，０００円」、精算額が「６０，０００円」、繰越精算額が「３０，０００円」であれば、当日未精算額、即ち、ＩＣカード２６に対応付けられているべき理論上の金額は、
当日未精算額＝１５０，０００−（１４０，０００−３０，０００）−（６０，０００
−３０，０００）
＝１０，０００
の計算式により、「１０，０００円」となる。このとき、カードＩＤが「ＩＤ０００１」〜「ＩＤ０００４」の４枚のＩＣカード２６に対応付けられている実際の金額が「２０，０００円」であれば、管理装置６は、理論上の金額である当日未精算額の「１０，０００円」と実際の金額である未精算カードリスト当日未精算額の「２０，０００円」とが一致しない（予め定められた特別金額以上の差がある金額異常状態が発生している）と判定し、未精算カードリスト当日未精算額を例えば赤色表示する等して異常表示する共に、例えば「当日未精算額異常発生」という異常発生メッセージ５３ｋをポップアップ表示する（異常報知を行う）。管理者は、未精算カードリスト当日未精算額が異常表示されていると共に異常発生メッセージ５３ｋがポップアップ表示されていることを確認することで、理論上の金額と実際の金額とが一致していないと判断することができ、不正行為が行われていると判断することができる。この場合、１０，０００円分の不正行為が行われたことになる。
【００３８】
尚、以上は、当日について理論上の金額と実際の金額とから不正行為が行われたか否かを判定することを例示したが、前日についても同様にして理論上の金額と実際の金額とから不正行為が行われたか否かを判定することが可能である。その場合、以下の関係が成立する。
【００３９】
前日の未精算額＝前日の継続未精算額＋入金額−消費額−精算額
図７及び図９の例示では、
前日の未精算額＝７０，０００＋１５０，０００−１４０，０００−５０，０００
＝３０，０００
の計算式により、「３０，０００円」となる。この場合、未精算額表示部５３ｇに表示される前日の未精算額を、図６及び図８と同様の未精算カードリスト画面５２の残額表示部５２ｃに表示される入金残額の合計金額と一致しているか否かを判定することで、不正行為が行われたか否かを判定することが可能である。即ち、プリペイド日報画面５３で期間が指定されると、その期間以前の入金日の未精算カードが未精算カードリスト画面５２に自動的に選択されるように構成されており、その入金残額の合計金額が残額表示部５２ｃに表示されるので、プリペイド日報画面５３の未精算額表示部５３ｇに表示される前日の未精算額を、未精算カードリスト画面５２の残額表示部５２ｃに表示される入金残額の合計金額と一致しているか否かを判定することで、不正行為が行われたか否かを判定することが可能である。つまり、前日の未精算額は、当日行われた入金に基づく未精算カードリストだけでなく、特別救済期限が切れるまでの全ての未精算カードリストを考慮して不正が行われたか否かを判定することが可能である。
【００４０】
以上に説明したように本実施形態によれば、次に示す効果を得ることができる。合計投入金額から合計消費金額及び合計精算金額を減算したＩＣカード２６に対応付けられているべき理論上の金額と、ＩＣカード２６に対応付けられている実際の金額とが一致していないと、金額異常状態が発生していると判定し、異常報知を行うようにしたので、ＩＣカード２６に対応付けられた残額を書き換えたりＩＣカード２６を複製したりする等の不正行為が行われていることを発見し易くすることができる。
【００４１】
本発明は、上記した実施形態にのみ限定されるものではなく、以下のように変形又は拡張することができる。尚、以下に列挙する各変形例を適宜組み合わせても良い。
例示したスロットマシンとは異なる遊技機に適用しても良く、例えばメダルを使用せずクレジットを消費して遊技が進行する完全クレジット式スロットマシンや、玉が封入されており、得点（遊技価値）を消費して玉を発射する封入式パチンコ遊技機に適用することも可能である。
【００４２】
本実施形態では、貸出装置２が貨幣を受付可能な構成を例示したが、紙幣のみを受付可能な構成や硬貨のみを受付可能な構成としても良い。又、遊技機１に隣接した貸出装置２で貨幣を受け付けてメダルを付与する構成にしたが、遊技機１とは隣接していない装置で貨幣を受け付け、残額を記録したＩＣカード２６を遊技者に付与する構成にしても良い。
【００４３】
本実施形態では、遊技者が当日に投入した合計投入金額、当日に入金された貨幣を対価として消費した消費金額の合計である合計消費金額、当日に入金された貨幣の精算金額の合計である合計精算金額をそれぞれ特定し、異常報知を行うか否かを判定する構成を例示したが、複数日を含む所定期間の算出結果から不正行為が行われたか否かを判定しても良い。例えば所定期間を対象とし、累計投入金額、累計消費金額、累計精算金額から理論上の金額を算出し、ＩＣカード２６に対応付けられている累計未消費金額から実際の金額を算出し、それらを比較する構成としても良い。
【００４４】
異常報知として、例えばスピーカにて異常が発生している可能性があることをアナウンスする等でも良い。
本実施形態では、当日未精算額と未精算カードリスト当日未精算額との差が１円以上であれば異常報知を行う構成を例示したが、異常報知を行うか否かを判定する基準額を変更しても良い。即ち、異常報知を行うか否かの判定に用いる特別金額を任意に変更しても良く、例えば当日未精算額と未精算カードリスト当日未精算額との差が２０００円以上であれば異常報知を行い、２０００円未満であれば異常報知を行わない構成としても良い。又、異常報知を行う場合に、当日未精算額と未精算カードリスト当日未精算額との差に応じて報知態様を区分しても良い。当日未精算額と未精算カードリスト当日未精算額との差が比較的大きく、不正行為の規模が比較的大きく、緊急な措置を要するような場合であれば、未精算カードリスト当日未精算額を例えば赤色表示し、当日未精算額と未精算カードリスト当日未精算額との差が比較的小さく、不正行為の規模が比較的小さく、緊急な措置を要しないような場合であれば、未精算カードリスト当日未精算額を例えば黄色表示する等しても良い。又、未精算カードリスト当日未精算額を表示すると共に、当日未精算額と未精算カードリスト当日未精算額との差を表示しても良い。前日未精算額についても、異常報知を行うか否かを判定する基準額を変更しても良いし、異常報知を行う場合に未精算額との差に応じて報知態様を区分しても良い。
【００４５】
閉店時刻になった場合に閉場条件が成立したと判定して当日未精算額と未精算カードリスト当日未精算額との差を判定する構成としたが、閉場条件を変更しても良い。例えば管理者が各機器に閉店になったことを通知するための閉店操作を行った場合に閉場条件が成立したと判定する構成としても良い。
【００４６】
本実施形態では、記録媒体としてＩＣカード２６を例示したが、例えばコイン型やスティック型の記録媒体を用いても良いし、レシートに残額情報を印字する構成を用いても良い。
【符号の説明】
【００４７】
図面中、１は遊技機、９はモニタ（異常報知手段）、１０は精算装置、２６はＩＣカード（記録媒体）、２５は貨幣投入口（貨幣受付手段）、２７はカード挿入口（記録媒体発行手段）、３８は制御部（貨幣受付手段、遊技価値付与手段、記録媒体発行手段）、４０はメダル払出部（遊技価値付与手段）、４４は制御部（投入金額特定手段、消費金額特定手段、精算金額特定手段、未消費金額特定手段、特別判定手段、異常報知手段、閉場条件特定手段）である。
【図１】
2018000727.tif 000003
【図２】
2018000727.tif 000004
【図３】
2018000727.tif 000005
【図４】
2018000727.tif 000006
【図５】
2018000727.tif 000007
【図６】
2018000727.tif 000008
【図７】
2018000727.tif 000009
【図８】
2018000727.tif 000010
【図９】
2018000727.tif 000011
【図１０】
2018000727.tif 000012